(57)【要約】【課題】光線路特性を個別に測定することができ、ＰＯＮ型光分岐線路の正常性の確認および断線による故障が１本のみ発生した場合の断線位置の特定を実現する。【解決手段】波長の異なる第１及び第２試験光パルスを任意の時間差で合成して被試験光線路２３に入射し、その戻り光を抽出して誘導ブリルアン後方散乱光を測定し、演算処理装置２７は、前記試験パルス時間差の変化に対応づけて、基幹光ファイバ２３０側から分岐光ファイバ毎の個別の損失分布特性と、基幹光ファイバ２３０側から分岐光ファイバの全ての損失分布特性の重ね合わせを求め、分岐光ファイバ毎の個別の損失分布特性の測定結果の重ね合わせと全ての損失分布特性の重ね合わせ測定結果との差分を解析し、この差分解析により、被試験光線路の個別の損失分布のうち１つの分岐光ファイバが測定できなかった場合に、測定できなかった分岐光ファイバの損失分布特性を取得する。【選択図】図１
2014159985.tif 000002
【特許請求の範囲】
【請求項１】
基幹光ファイバの一方端を光分岐器によって複数系統に分岐し、前記光分岐器の分岐端部それぞれに分岐光ファイバの一方端を光結合してなる被試験光線路の特性を解析する光線路特性解析装置であって、
波長の異なる第１及び第２試験光を発生し、当該第１及び第２試験光から互いに任意の時間差をもって第１及び第２試験光パルスを生成し合成する試験光パルス生成手段と、
前記被試験光線路の複数の分岐光ファイバそれぞれの他方端に配置され、前記第１及び第２試験光の波長の光を反射し、それ以外の波長の光を透過する複数の光反射フィルタと、
前記試験光パルス生成手段で生成される試験光パルスを前記被試験光線路の基幹光ファイバに入射し、当該基幹光ファイバの入射端から出射される戻り光を抽出する光サーキュレータと、
前記戻り光から誘導ブリルアン（Brillouin）後方散乱光を抽出する光フィルタと、
前記光フィルタで抽出された散乱光を受光して電気信号に変換する光受信器と、
前記電気信号をデジタル信号に変換する変換手段と、
前記デジタル信号から前記誘導ブリルアン後方散乱光を測定して前記被試験光線路の特性を解析する演算処理装置と
を具備し、
前記演算処理装置は、
前記試験光パルス生成手段で生成される第１及び第２試験光パルスの時間差の変化に対応する前記誘導ブリルアン後方散乱光を測定することで、前記基幹光ファイバ側から分岐光ファイバ毎の個別の損失分布特性と、前記基幹光ファイバ側から前記複数系統の分岐光ファイバの全ての損失分布特性の重ね合わせを測定し、
前記分岐光ファイバ毎の個別の損失分布特性の測定結果を重ね合わせる演算を実行し、前記分岐光ファイバ毎の個別の損失分布特性の重ね合わせ演算結果と前記全ての損失分布特性の重ね合わせ測定結果との差分を解析し、
前記解析した差分解析により、前記被試験光線路の個別の損失分布のうち１つの分岐光ファイバが測定できなかった場合に、測定できなかった分岐光ファイバの損失分布特性を取得し、前記被試験光線路の個別の損失分布の全てが測定できていた場合には、全て測定できていると判別することを特徴とする光線路特性解析装置。
【請求項２】
前記演算処理装置は、前記試験光パルス生成手段にて、前記第１試験パルスと前記第２試験パルスの光周波数差が前記ブリルアン後方散乱光の周波数シフト量に相当するようにそれぞれの波長が選定されるとき、前記被試験光線路内で前記第２試験パルスと前記分岐光ファイバの終端で反射した前記第１試験パルスとがインタラクションを起こしたときに生じる誘導ブリルアン散乱を解析することで前記損失分布特性を取得し、前記第１試験光パルスと前記第２試験光パルスの入射時間差の変化から距離情報を取得し、前記分岐光ファイバそれぞれの終端で反射した第１試験パルスの光受信器到達時間から前記複数の分岐光ファイバのどの分岐光ファイバの情報であるかを特定することを特徴とする請求項１記載の光線路特性解析装置。
【請求項３】
前記演算処理装置は、前記複数系統の分岐光ファイバそれぞれについて、前記試験光パルスが前記被試験光線路に入射されたときの前記戻り光に生じるレイリー後方散乱光の時間から距離情報を取得し、前記レイリー後方散乱光の強度から損失情報を取得することで、前記全ての損失分布特性の重ね合わせを取得することを特徴とする請求項１記載の光線路特性解析装置。
【請求項４】
前記演算処理装置は、前記試験光パルスを被試験光線路に入射されたときの戻り光に生じる自然ブリルアン後方散乱光の時間から距離情報を取得し、前記自然ブリルアン後方散乱光の強度から損失情報を取得することで、前記全ての損失分布特性の重ね合わせを取得することを特徴とする請求項１記載の光線路特性解析装置。
【請求項５】
前記演算処理装置は、前記分岐光ファイバ毎の個別の損失分布特性の重ね合わせ演算結果と前記全ての損失分布特性の重ね合わせ測定結果との差分がゼロの場合は、前記分岐光ファイバ毎の個別の損失分布特性が全て測定できていると判別し、差分がゼロでない場合は、測定できていない分岐光ファイバの個別の損失分布特性の和を出力することを特徴とする請求項１記載の光線路特性解析装置。
【請求項６】
基幹光ファイバの一方端を光分岐器によって複数系統に分岐し、前記光分岐器の分岐端部それぞれに分岐光ファイバの一方端を光結合してなる被試験光線路の特性を解析する光線路特性解析方法であって、
互いに波長の異なる第１及び第２試験光パルスが任意の時間差をもって合成された試験光パルスを前記基幹光ファイバに入射し、
前記被試験光線路の複数の分岐光ファイバそれぞれの他方端で前記第１及び第２試験光の波長の光のみを反射させ、この反射による戻り光を前記基幹光ファイバの入射端から抽出し、
前記戻り光から誘導ブリルアン（Brillouin）後方散乱光を抽出し、
前記抽出された散乱光を受光して電気信号に変換し、
前記電気信号をデジタル信号に変換し、
前記デジタル信号から前記誘導ブリルアン後方散乱光を測定して前記被試験光線路の特性を解析するものとし、
前記第１及び第２試験光パルスの時間差の変化に対応する前記誘導ブリルアン後方散乱光を測定することで、前記基幹光ファイバ側から分岐光ファイバ毎の個別の損失分布特性と、前記基幹光ファイバ側から前記複数系統の分岐光ファイバの全ての損失分布特性の重ね合わせを測定し、
前記分岐光ファイバ毎の個別の損失分布特性の測定結果を重ね合わせを演算し、
前記分岐光ファイバ毎の個別の損失分布特性の重ね合わせ演算結果と前記全ての損失分布特性の重ね合わせ測定結果との差分を解析し、
前記解析した差分解析により、前記被試験光線路の個別の損失分布のうち１つの分岐光ファイバが測定できなかった場合に、測定できなかった分岐光ファイバの損失分布特性を取得し、前記被試験光線路の個別の損失分布の全てが測定できていた場合には、全て測定できていると判別することを特徴とする光線路特性解析方法。
【発明の詳細な説明】
【技術分野】
【０００１】
本発明は、例えばＰＯＮ（Passive Optical Network）型の光線路において、光スプリッタで分岐された各光分岐線路の特性を個別に測定する光線路特性解析装置とその解析方法に関する。
【背景技術】
【０００２】
光ファイバなどの光線路を使用する光通信システムでは、光線路の破断を検出し、または破断位置を特定するために、光パルス線路監視装置が用いられる。この光パルス線路監視装置は、光が光線路内を伝搬するに伴い、その光と同じ波長の後方散乱光が生じて逆方向に伝搬することを利用する。
【０００３】
すなわち、光線路に試験光として光パルスを入射すると、この光パルスが破断点に到達するまで後方散乱光を発生し続け、試験光と同じ波長の戻り光が光パルスを入射した光線路の端面から出射される。この後方散乱光の継続時間を測定することにより、光線路の破断位置を特定することができる。この原理に基づく監視装置としては、ＯＴＤＲ（Optical Time Domain Reflectometer）が代表的である。
【０００４】
しかしながら、ＰＯＮ（Passive Optical Network）型の光分岐線路については、光スプリッタからユーザ装置側に位置する分岐光ファイバに対して、あるいは光デバイス（反射型フィルタ）、光スプリッタや光ファイバ接続部品など光線路に接続されている光装置の状態に対して、光パルス線路監視装置で個別に識別することは困難である。
【０００５】
例えば、通信事業者設備ビルから延設される幹線光ファイバでは、光スプリッタにより複数の光ファイバに分岐されており、試験光も光スプリッタによって分岐された各光ファイバ（以下、「分岐光ファイバ」）に一様に分配される。この場合、各分岐光ファイバ心線からの戻り光が幹線光ファイバの入射端に戻る際に光スプリッタで重なり合ってしまう。このため、入射端で観測されるＯＴＤＲ波形からは、どの分岐光ファイバに破断が生じているかを識別できなくなる。
【０００６】
このように、既存の光パルス線路監視装置は基本的に１本の光線路に対してのみ有効であり、光分岐線路に対してはそのまま適用することができない。そこで、光分岐線路に対する光パルス線路監視装置の適用を可能とするための技術が提案されている（非特許文献１、特許文献１、非特許文献２参照）。
【０００７】
非特許文献１では、試験光を反射する光フィルタをターミネーションフィルタとしてユーザ装置の手前に設置し、各ユーザ装置からの反射光の強度を高分解能なＯＴＤＲ装置により測定するという手法が提案されている。しかしながら、この手法では、故障心線の特定と、ユーザ装置か光線路のどちらが故障しているかといった故障位置の切り分けが可能であるというレベルにとどまっており、分岐光ファイバのどの位置で故障が発生しているかを特定することができない。
【０００８】
一方、特許文献１では、光スプリッタとして、光の多光束干渉を利用するアレイ導波路による回折格子型の波長合分波器を用い、波長可変光源により試験光の波長を切り替えて被試験光線路を選択するという提案がなされている。この提案の方法によれば、波長可変光源の波長を掃引し、反射光の波長を光反射処理部で検出し、その波長を基準に試験光の波長を設定することで、試験光の波長に対応付けて各光線路の個別監視を実現することができる。しかしながら、アレイ導波路の回折格子型の波長合分波器に代表される、波長ルーティング機能を持つ光分岐装置は一般的に高価であり、多くの加入者を収容するアクセス系光システムに用いることはコスト面で難しい。さらには、このような光部品は温度依存性が大きく、温度調整機能を付加する必要もあるため、システムを構築する際に必要となるコストが多大になってしまう。
【０００９】
また、非特許文献２では、遠端に反射がある分岐光ファイバにポンプ光パルスとプローブ光パルスの二つの試験光パルスを入射し、両試験光の衝突位置でのブリルアン利得をブリルアン利得解析装置で解析することにより、スプリッタ下部の心線個別の損失分布を得るという提案がなされている。しかしながら、この手法では、分岐光ファイバが断線し、断線した光ファイバ端面の反射量が低い場合には、反射プローブパルスを検出することができないため、断線した光ファイバの損失分布が得られない。そのため、この手法でＰＯＮ型の光分岐線路を測定した場合には、光スプリッタに接続されている全ての分岐光ファイバの損失分布を得られているかどうかを判別することができない。また、断線による分岐光ファイバの故障がある場合には、その断線位置を特定することができない。
【先行技術文献】
【特許文献】
【００１０】
【特許文献１】特開平７-８７０１７号公報
【非特許文献】
【００１１】
【非特許文献１】Y. Enomoto et al., "Over 31.5dB dynamic range optical fiber line testing system with optical fiber fault isolation function 32dB-branched PON", OFC2003 Technical Digest, paper ThAA3(2003), pp. 608-610
【非特許文献２】H. Takahashi et al., “Individual Fault Location in 4-branched PON Using Pulsed Pump-Probe Brillouin Analysis,” Conference of Optical Fiber Communications 2012.
【発明の概要】
【発明が解決しようとする課題】
【００１２】
以上述べたように、従来のＯＴＤＲによる解析方法をＰＯＮ型光分岐線路の測定に用いた場合には、光スプリッタからユーザ装置側の分岐下部光ファイバ、および光スプリッタなどの光デバイスを監視するにあたり、光線路特性を個別に測定し、光分岐線路の正常性の確認および断線による故障が１本のみ発生した場合の断線位置の特定を行うためには、光デバイスや光線路構成の既設設備の変更を実施しなければならず、コスト増が問題となる。
【００１３】
本発明は、上記の事情に着目してなされたもので、ＰＯＮ型光分岐線路において、所内既設設備の光デバイスや光線路構成を変更せずに光線路特性を個別に測定することができ、ＰＯＮ型光分岐線路の正常性の確認および断線による故障が１本のみ発生した場合の断線位置の特定を実現することのできる光線路特性解析装置及びその解析方法を提供することを目的とする。
【課題を解決するための手段】
【００１４】
本発明に係る光線路特性解析装置は、以下のような態様の構成とする。  
（１）基幹光ファイバの一方端を光分岐器によって複数系統に分岐し、前記光分岐器の分岐端部それぞれに分岐光ファイバの一方端を光結合してなる被試験光線路の特性を解析する光線路特性解析装置であって、波長の異なる第１及び第２試験光を発生し、当該第１及び第２試験光から互いに任意の時間差をもって第１及び第２試験光パルスを生成し合成する試験光パルス生成手段と、前記被試験光線路の複数の分岐光ファイバそれぞれの他方端に配置され、前記第１及び第２試験光の波長の光を反射し、それ以外の波長の光を透過する複数の光反射フィルタと、前記試験光パルス生成手段で生成される試験光パルスを前記被試験光線路の基幹光ファイバに入射し、当該基幹光ファイバの入射端から出射される戻り光を抽出する光サーキュレータと、前記戻り光から誘導ブリルアン（Brillouin）後方散乱光を抽出する光フィルタと、前記光フィルタで抽出された散乱光を受光して電気信号に変換する光受信器と、前記電気信号をデジタル信号に変換する変換手段と、前記デジタル信号から前記誘導ブリルアン後方散乱光を測定して前記被試験光線路の特性を解析する演算処理装置とを具備し、前記演算処理装置は、前記試験光パルス生成手段で生成される第１及び第２試験光パルスの時間差の変化に対応する前記誘導ブリルアン後方散乱光を測定することで、前記基幹光ファイバ側から分岐光ファイバ毎の個別の損失分布特性と、前記基幹光ファイバ側から前記複数系統の分岐光ファイバの全ての損失分布特性の重ね合わせを測定し、前記分岐光ファイバ毎の個別の損失分布特性の測定結果を重ね合わせる演算を実行し、前記分岐光ファイバ毎の個別の損失分布特性の重ね合わせ演算結果と前記全ての損失分布特性の重ね合わせ測定結果との差分を解析し、前記解析した差分解析により、前記被試験光線路の個別の損失分布のうち１つの分岐光ファイバが測定できなかった場合に、測定できなかった分岐光ファイバの損失分布特性を取得し、前記被試験光線路の個別の損失分布の全てが測定できていた場合には、全て測定できていると判別する態様とする。
【００１５】
（２）（１）において、前記演算処理装置は、前記試験光パルス生成手段にて、前記第１試験パルスと前記第２試験パルスの光周波数差が前記ブリルアン後方散乱光の周波数シフト量に相当するようにそれぞれの波長が選定されるとき、前記被試験光線路内で前記第２試験パルスと前記分岐光ファイバの終端で反射した前記第１試験パルスとがインタラクションを起こしたときに生じる誘導ブリルアン散乱を解析することで前記損失分布特性を取得し、前記第１試験光パルスと前記第２試験光パルスの入射時間差の変化から距離情報を取得し、前記分岐光ファイバそれぞれの終端で反射した第１試験パルスの光受信器到達時間から前記複数の分岐光ファイバのどの分岐光ファイバの情報であるかを特定する態様とする。
【００１６】
（３）（１）において、前記演算処理装置は、前記複数系統の分岐光ファイバそれぞれについて、前記試験光パルスが前記被試験光線路に入射されたときの前記戻り光に生じるレイリー後方散乱光の時間から距離情報を取得し、前記レイリー後方散乱光の強度から損失情報を取得することで、前記全ての損失分布特性の重ね合わせを取得する態様とする。
【００１７】
（４）（１）において、前記演算処理装置は、前記試験光パルスを被試験光線路に入射されたときの戻り光に生じる自然ブリルアン後方散乱光の時間から距離情報を取得し、前記自然ブリルアン後方散乱光の強度から損失情報を取得することで、前記全ての損失分布特性の重ね合わせを取得する態様とする。
【００１８】
（５）（１）において、前記演算処理装置は、前記分岐光ファイバ毎の個別の損失分布特性の重ね合わせ演算結果と前記全ての損失分布特性の重ね合わせ測定結果との差分がゼロの場合は、前記分岐光ファイバ毎の個別の損失分布特性が全て測定できていると判別し、差分がゼロでない場合は、測定できていない分岐光ファイバの個別の損失分布特性の和を出力する態様とする。
【００１９】
また、本発明に係る光線路特性解析方法は、以下のような態様の構成とする。  
（６）基幹光ファイバの一方端を光分岐器によって複数系統に分岐し、前記光分岐器の分岐端部それぞれに分岐光ファイバの一方端を光結合してなる被試験光線路の特性を解析する光線路特性解析方法であって、互いに波長の異なる第１及び第２試験光パルスが任意の時間差をもって合成された試験光パルスを前記基幹光ファイバに入射し、前記被試験光線路の複数の分岐光ファイバそれぞれの他方端で前記第１及び第２試験光の波長の光のみを反射させ、この反射による戻り光を前記基幹光ファイバの入射端から抽出し、前記戻り光から誘導ブリルアン（Brillouin）後方散乱光を抽出し、前記抽出された散乱光を受光して電気信号に変換し、前記電気信号をデジタル信号に変換し、前記デジタル信号から前記誘導ブリルアン後方散乱光を測定して前記被試験光線路の特性を解析するものとし、前記第１及び第２試験光パルスの時間差の変化に対応する前記誘導ブリルアン後方散乱光を測定することで、前記基幹光ファイバ側から分岐光ファイバ毎の個別の損失分布特性と、前記基幹光ファイバ側から前記複数系統の分岐光ファイバの全ての損失分布特性の重ね合わせを測定し、前記分岐光ファイバ毎の個別の損失分布特性の測定結果を重ね合わせを演算し、前記分岐光ファイバ毎の個別の損失分布特性の重ね合わせ演算結果と前記全ての損失分布特性の重ね合わせ測定結果との差分を解析し、前記解析した差分解析により、前記被試験光線路の個別の損失分布のうち１つの分岐光ファイバが測定できなかった場合に、測定できなかった分岐光ファイバの損失分布特性を取得し、前記被試験光線路の個別の損失分布の全てが測定できていた場合には、全て測定できていると判別する態様とする。
【発明の効果】
【００２０】
以上のように、本発明では、ＰＯＮ型光分岐線路において、光スプリッタで分岐された各光分岐線路の特性を解析する場合に、基幹光線路側から、分岐光線路毎の個別の損失分布特性と、分岐光線路全ての損失分布特性の重ね合わせとを測定する。そして、測定された分岐光線路毎の個別の損失分布特性を用いて全ての損失分布特性の重ね合わせを算出する。次に、算出された全ての損失分布特性の重ね合わせと、測定された分岐光線路全ての損失分布測定の重ね合わせとの差分分布を算出し、算出された差分分布（またはその差分分布の反射点を除いた部分）が所定の閾値未満である場合に、分岐光線路の全てが正常であると判定する。また、算出された差分分布（またはその差分分布の反射点を除いた部分）が所定の閾値以上である場合に、分岐光線路のいずれかに故障が発生していると判定する。分岐光線路のいずれかに故障が発生していると判定された場合には、算出された差分分布に基づいて、１つの分岐光線路のみに故障が発生していると仮定した場合における当該分岐光線路の損失分布特性を算出する。
【００２１】
以上のことから、本発明によれば、分岐光線路の全てが正常であるか否かを判定することができ、１つの分岐光線路のみに故障が発生している場合には、当該分岐光線路の故障位置を特定することができる。よって、ＰＯＮ型光分岐線路において、所内既設設備の光デバイスや光線路構成を変更せず、所外既設設備を使用するのみで光線路特性を個別に測定することができ、ＰＯＮ型光分岐線路の正常性の確認および断線による故障が１本のみ発生した場合の断線位置の特定を実現することのできる光線路特性解析装置及びその解析方法を提供することができる。
【図面の簡単な説明】
【００２２】
【図１】本発明の一実施形態に係る光線路特性解析装置の構成を示すブロック図である。
【図２】図１に示す解析装置の動作を説明するためにケース１の故障発生例を示す配線図である。
【図３】図２に示すケース１の場合の距離−損失分布を示す特性図である。
【図４】図１に示す解析装置の動作を説明するためにケース２の故障発生例を示す配線図である。
【図５】図４に示すケース２の場合の距離−損失分布を示す特性図である。
【発明を実施するための形態】
【００２３】
添付の図面を参照して本発明の実施の形態を説明する。以下に説明する実施の形態は本発明の構成の例であり、本発明は、以下の実施の形態に制限されるものではない。  
図１は、本発明の一実施形態に係る光線路特性解析装置の構成を示すブロック図である。図１に示す分岐光線路特性解析装置は、第１試験光の被測定光ファイバからの誘導ブリルアン後方散乱光の特性分布および第１試験光のレイリー散乱光分布または第２試験光の自然ブリルアン散乱光分布を求めることができるものである。
【００２４】
図１において、１１は光周波数f0の連続光を発生する光源であり、この光源１１から出力された連続光は光分岐素子１２により２系統に分岐される。分岐された連続光の一方を第１試験光（プローブ光）、他方を第２試験光（ポンプ光）とする。第１試験光は、光周波数変更装置１３に入射され、光周波数f0が一定周波数fBだけシフトされる。この光周波数変更装置１３は、具体的には、正弦波発生器１４で発生される正弦波の信号周波数に応じて変調側波帯の周波数を変化させる機能を持つ外部変調器を用いることができる。また、LiNbO3を用いた位相変調器、振幅変調器やSSB変調器でもよい。
【００２５】
第１試験光及び第２試験光は、いずれも光パルス化装置１５，１６により2nΔL/c以下でパルス化される。ここで、ΔLは後述のＮ分岐光ファイバそれぞれの長さの差の最小値であり、cは真空中の光伝送速度（光速）、nは光ファイバの屈折率である。このように2nΔL/c以下でパルス化することにより、後述するＮ分岐光ファイバを識別することが可能になる。光パルス化装置１５，１６は、具体的には音響光学素子をパルス駆動するようにした音響光学スイッチによる音響光学変調器、またはLiNbO3を用いた電気光学素子をパルス駆動するようにした導波路スイッチによるLiNbO3変調器で構成される。
【００２６】
ここで、光パルス化装置１５，１６に対し、入射時間制御装置１７，１８により、それぞれ第１試験光パルスと第２試験光パルスを後段の被測定光回路２３に入射する時間に時間差を与える。具体的には、入射時間制御装置１７，１８は、第１試験光と第２試験光を光パルス化する光パルス化装置１５，１６において、駆動する電気パルスの変調時間を任意に可変制御する構成とする。すなわち、光パルスを得るために、上記音響光学変調器またはLiNbO3変調器による光デバイス（光パルス化装置）を電気パルスで変調し、この電気パルスで変調した時間で入射された連続光をパルス化する。そして、光デバイスを変調するタイミングを変化させることで、光パルスになるタイミングを制御するようにしている。このように光パルスになるタイミングを制御して、その二つを合波すれば、入射時間の違う２つのパルス（第１試験光・第２試験光）を生成することが可能となる。また、この電気パルスのうち一方の電圧を常にゼロにすることにより、第１試験光または第２試験光の一方のみを入射することも可能となる。
【００２７】
上記のようにしてタイミング制御された第１試験光と第２試験光の光パルスは、それぞれ光増幅器１９，２０により増幅された後、光合波素子１９で合波され、これによって入射時間、光周波数（波長）の異なる２つの光パルスによる試験光が生成される。この試験光は、光サーキュレータ２２を通過して被測定光回路２３に入射される。
【００２８】
この被測定光回路２３は、光サーキュレータ２２からの試験光が入射される基幹光ファイバ２３０と、この基幹光ファイバ２３０の出力光をＮ系統に分岐する光スプリッタ２３１と、Ｎ本の分岐光ファイバ２３２１〜２３２Ｎと分岐光ファイバ終端に設置された光反射フィルタ２３３１〜２３３Ｎにより構成される。光スプリッタ２３１でＮ分岐された第１試験光の光パルスと第２試験光の光パルスは、分岐光ファイバ２３２１〜２３２Ｎの中でインタラクションを引き起こす。このとき、誘導ブリルアン散乱が生じて後方散乱光が発生する。この誘導ブリルアン後方散乱光は、第１試験光と第２試験光の光パルスそれぞれが入力された光サーキュレータ２３１により受信系に導出される。
【００２９】
この受信系では、光フィルタ２４により誘導ブリルアン後方散乱光のみが抽出され、光受信器２５で受信されて電流信号となって出力される。光受信器２５から出力される電流信号は、Ａ／Ｄ変換器２６でデジタル信号に変換されて演算処理装置２７に入力され、距離に対する損失分布が求められる。
【００３０】
また、第１試験光または第２試験光のいずれか一方のみを被測定光回路２３に入射した場合、光スプリッタ２３１でＮ分岐された第１試験光または第２試験光が分岐光ファイバ２３２１〜２３２Ｎ中でインタラクションを起こし、これによってレイリー散乱（第１試験光）または自然ブリルアン散乱（第２試験光）が発生して、後方散乱光となって入射側へ戻ってくる。このレイリー後方散乱光または自然ブリルアン後方散乱光はＮ分岐光スプリッタ２３１で全ての分岐光ファイバ２３２１〜２３２Ｎからの光が合波されて基幹光ファイバ２３０に戻り、光サーキュレータ２３１を介して受信系に入力され、光フィルタ２４により第１試験光のレイリー散乱光または第２試験光の自然ブリルアン散乱光のみが抽出され、光受信器２５で受信されて電流信号となって出力される。光受信器２５から出力される電流信号は、Ａ／Ｄ変換器２６でデジタル信号に変換されて演算処理装置２７に入力され、距離に対する損失分布が求められる。
【００３１】
次に、上述したように構成される本実施形態の分岐光線路特性解析装置の動作について説明する。  
まず、光周波数変更装置１３、光パルス化装置１５，１６、光受信器２５、Ａ／Ｄ変換器２６については、次の条件を満足する必要がある。
(条件１)  光周波数変更装置１３による周波数シフトは、ブリルアン周波数シフトと等しいこと。  
(条件２)  光パルス化装置１５，１６のパルス幅τは、分岐光ファイバ２３２ｉの終端からの戻り光の時間差2nΔL/cの最小値より狭いこと。  
(条件３)  光受信器２５及びＡ／Ｄ変換器２６の帯域は、パルス幅τを受光可能な帯域であること。
【００３２】
ここで、条件１〜３は次のような意味を持っている。  
条件１は、第１試験光と第２試験光が誘導ブリルアン散乱を起こすために必要となる条件である。  
条件２は、光パルス化装置１５，１６のパルス幅τが各分岐光ファイバ２３２ｉの終端からの戻り光の時間差の最小値2nΔL/cより広いとき、心線毎の誘導ブリルアン散乱光が重なり、時間的に切り分けることができなくなるために必要となる条件である。ここで、ΔLは上記の各分岐光ファイバ２３２ｉの長さの差の最小値である。  
条件３は、パルス幅τの光パルスを精確に測定するために必要となる条件であり、光受信器２５の帯域、Ａ／Ｄ変換器２６の帯域は1/τより広いことが必要となる。
【００３３】
これらの条件を満足する場合において、以下に本実施形態を用いた被測定光線路２３の特性解析方法についてする説明する。  
本実施形態では、波長の異なる二つの試験光（第１試験光、第２試験光）を用いる。第１試験光はプローブ光であり、光周波数f0-fBとし、第２試験光はポンプ光であり、光周波数f0とする。ここで、f0はポンプ光の光周波数、fBはブリルアン後方散乱による光周波数シフト量とする。
【００３４】
まず、プローブ光を被測定光回路２３に入射し、プローブ光を入射してからt1秒後にポンプ光を被測定光回路２３に入射する。被測定光回路２３に入射されたプローブ光とポンプ光は、いずれも光スプリッタ２３１によりＮ分岐され、Ｎ本の分岐光ファイバ２３２１〜２３２Ｎに入射される。
【００３５】
(i)プローブ光とポンプ光による誘導ブリルアン散乱の測定  
プローブ光とポンプ光の周波数がfBだけ差がある場合、プローブ光とポンプ光との間でインタラクションが起こると、誘導ブリルアン散乱が発生し、プローブ光は式(1)で表される増幅を受ける。
【００３６】
【数１】
2014159985.tif 000003
ここで、αB(z)は被測定光回路２３の入射端（以下、単に入射端と称する）からzの位置でインタラクションが生じたときの誘導ブリルアンによる増幅率、gBは誘導ブリルアン散乱係数、zは入射端からプローブ光とポンプ光がインタラクションを生じた位置までの距離、Ipump(z)は入射端から距離zだけ離れた位置におけるポンプ光の強度、τpumpはポンプパルスのパルス幅である。
【００３７】
ｉ（1≦i≦Nの整数）番目の分岐光ファイバ２３２ｉにおける心線#iの損失係数をαi、ファイバ心線#iを往復する場合の全損失をLｔとする。この場合、プローブ光はファイバ終端の光反射フィルタ２３３ｉで反射された後、入射端から距離zの位置でポンプ光と衝突する。この場合、入射端でのプローブ光の強度Iprobe(2Li,z)は、式(2)で表される。
【００３８】
【数２】
2014159985.tif 000004
式（2）より、入射端での第１試験光の強度Iprobe(2Li)は、Ipump(z)のみの関数となる。ここで、Ipump(z)は、式(3)で表される。  
【００３９】
【数３】
2014159985.tif 000005
また、プローブ光のみを入射した場合の入射端へ戻ってくる反射プローブ光強度Iref(2Li)は、式(4)で表される。  
【００４０】
【数４】
2014159985.tif 000006
よって、式(2)は、式(3)及び式(4)を用いると式(5)として表される。  
【００４１】
【数５】
2014159985.tif 000007
上記（5）式を用いてブリルアン散乱光の増幅率を解析することにより、インタラクションを生じた場所までの損失をポンプパルス幅で積分した値の関数を取得することが可能であり、以下の演算を行うことで、ある地点z0からの損失分布を取得することができる。
【００４２】
【数６】
2014159985.tif 000008
よって、誘導ブリルアン散乱光の特性を解析すれば、ある地点z0を基準にした分岐光ファイバ２３２ｉの線路損失を測定することができる。
【００４３】
(ii)分岐下部の分岐光ファイバ中の距離に対するブリルアン散乱光分布の測定  
被測定光回路２３の入射端から分岐下部のａ（1≦a≦Nの整数）番目の分岐光ファイバ２３２ａにおける心線#aの終端までの長さをLaとする。第１試験光は、分岐光ファイバ２３２ａの終端に設置された光反射フィルタ２３３ａにより反射される。
【００４４】
ここで、分岐光ファイバ終端からの距離をl、被測定光回路２３に用いられるファイバの屈折率をn、真空中の光速をcとする。この場合、反射された第１試験光はt1/2秒後にl=c/n×t1/2だけ進むので、入射端からの距離をlx1とすると、  
【００４５】
【数７】
2014159985.tif 000009
となる。また、第１試験光が被測定光線路２３に入射されてから光スプリッタ２３１により分岐され、分岐光ファイバ２３２ａの終端の反射型光フィルタ２３３ａで反射されて、入射端からの距離lx1に到達する時間tは、  
【００４６】
【数８】
2014159985.tif 000010
である。
一方、第２試験光を光線路に入射する時刻は、第１試験光を入射してからt1秒後とする。第２試験光がt秒後に到達する入射端からの距離をlx2とすると、式(9)で表される。
【００４７】
【数９】
2014159985.tif 000011
式(7)、式(9)より、lx1=lx2の位置でプローブ光とポンプ光はインタラクションを生じる。また、インタラクションを生じる時間は、ファイバ終端の光フィルタで反射された時間からt1/2秒後である。つまり、プローブ光とポンプ光を被測定光回路に入射する時間差t1を変化させることにより、第１試験光と第２試験光がインタラクションを生じる位置を制御できるため、距離に対する誘導ブリルアン散乱の特性分布を求めることができる。
【００４８】
(iii)分岐下部心線#aの誘導ブリルアン散乱光が光受信器２５に到達する時間の測定
第１試験光が光受信器２５に到達する時間をtdaとする。第１試験光は、分岐下部の光ファイバ終端の光フィルタにより反射され、光受信器２５へ戻ってくるので、到達時間は、式(10)で表される。  
【００４９】
【数１０】
2014159985.tif 000012
ここで、他の分岐光ファイバ２３２ｂの心線#b（1≦b≦Nの整数）から戻ってきた第１試験パルスが光受信器２５に到達する時間tdbは、式(11)で表される。  
【００５０】
【数１１】
2014159985.tif 000013
よって、光受信器２５に戻る時間差は、式(12)で表される。  
【００５１】
【数１２】
2014159985.tif 000014
La ≠ Lbのとき、光受信器２５に到達する時間が異なる。
ここで、第１試験光のパルス幅をτとすると、
【００５２】
【数１３】
2014159985.tif 000015
のとき(条件２)、各分岐光ファイバ２３２ｉから戻った第１試験光は光スプリッタ２３１で重ならず、光受信器２５の到達時間を測定することで、どの心線からの第１試験光であるかを時間的に切り分けることができる。
【００５３】
上記(i)〜(iii)により、誘導ブリルアン散乱を利用した測定法では、分岐光ファイバ個別の損失分布を測定可能である。そこで、光スプリッタ２３の分岐上部(z=z0)を基準にした分岐光ファイバ個別の損失分布Li(z-z0)の重ね合わせLB_total(z-z0)は、  
【００５４】
【数１４】
2014159985.tif 000016
となる。ここで、Kは終端に反射があり、誘導ブリルアン散乱が測定できた分岐光ファイバの数である。以上より、往復の分岐光ファイバの損失分布の重ね合わせは、  
【００５５】
【数１５】
2014159985.tif 000017
となる。
(iv)第１試験パルスのみによるレイリー散乱光測定  
第１試験パルスを被測定光線路２３に入射すると、レイリー散乱光が発生する。このレイリー後方散乱光は、分岐光ファイバ毎で発生し、Ｎ分岐光スプリッタ２３１により各分岐光ファイバ２３２ｉで発生したレイリー後方散乱光が重なって入射端へ戻ってくる。そのため、光スプリッタ２３１の分岐下部の地点zから入射端へ戻ってきた強度ＩOTDR(z)は、  
【００５６】
【数１６】
2014159985.tif 000018
である。ここで、Rrはレイリー後方散乱係数である。そのため、光スプリッタ２３１の上部(z=z0)で規格化したスプリッタ下部ファイバの損失分布は、  
【００５７】
【数１７】
2014159985.tif 000019
となる。以上より、レイリー後方散乱光による測定は、レイリー後方散乱光強度の和の分布となるため、各分岐光ファイバ２３２ｉの損失分布の全てが重なったものが得られる。
【００５８】
(v)第２試験パルスのみによる自然ブリルアン散乱光測定  
第２試験パルスを被測定光線路２３に入射すると、自然ブリルアン散乱光が発生する。この自然ブリルアン後方散乱光は、分岐光ファイバ毎で発生し、Ｎ分岐光スプリッタ２３１により各分岐光ファイバ２３２ｉで発生した自然ブリルアン後方散乱光が重なって入射端へ戻ってくる。そのため、光スプリッタ２３１の分岐下部のz地点から入射端へ戻ってきた自然ブリルアン散乱強度ＩBOTDR(z)は、  
【００５９】
【数１８】
2014159985.tif 000020
である。ここで、RBは自然ブリルアン後方散乱係数である。そのため、光スプリッタ２３１の上部(z=z0)で規格化したスプリッタ下部ファイバの損失分布は、  
【００６０】
【数１９】
2014159985.tif 000021
となる。そのため、自然ブリルアン後方散乱光による測定は、自然ブリルアン後方散乱光強度の和の分布となるため、各分岐光ファイバ２３２ｉの損失分布の全てが重なったものが得られる。
【００６１】
上記より、Ｎ分岐下部の分岐光ファイバ（以下、Ｎ分岐光ファイバ）２３２ｉにおいて、以下のケースを考える。  
[ケース１]  誘導ブリルアン散乱測定により、Ｎ分岐光ファイバ全ての個別損失分布を測定できた場合  
[ケース２]  断線故障が発生し、誘導ブリルアン散乱測定でＮ分岐光ファイバのうちの１本が測定できなかった場合
[ケース３]  誘導ブリルアン散乱測定でＮ分岐光ファイバのうちの２本以上が測定できなかった場合
上記ケースにおいて、式(17)と式（15）の差分、または式(19)と式(15)の差分を解析することで、誘導ブリルアン散乱測定において、全ての分岐光ファイバが測定できているかの判別、および測定できなかった分岐光ファイバが１本である場合の測定できなかったファイバの損失分布を得ることができる。その方法について説明する。
【００６２】
[ケース１]  
誘導ブリルアン散乱測定により、Ｎ分岐光ファイバ全ての個別損失分布測定できた場合は、K＝Nとなる。そのため、式(17)または式(19)と式(15)の差はゼロになる。
図２にケース１の例を示す。ここでは、Ｎ＝８として、８分岐光スプリッタを用いるものとし、各心線を#1〜#8と表記し、誘導ブリルアン散乱測定により８分岐光ファイバ全ての個別損失分布を取得可能な被測定ファイバの構成例を示す。また、誘導ブリルアン散乱による個別損失分布測定結果の和とレイリー散乱による損失の和の分布の測定結果の差分を図３に示す。図３のように、全ての損失分布を取得できれば、反射点を除いて、分岐光ファイバの差分はゼロとなり、ノイズしか残らない。
【００６３】
[ケース２]  
誘導ブリルアン散乱測定により、断線した分岐光ファイバが1本測定できなかった場合は、K＝N-1となる。そのため、式（17）または式(19)と式(15)の差は、
【００６４】
【数２０】
2014159985.tif 000022
となり、測定できなかった１本の分岐光ファイバの損失分布を得ることができる。
また、式（17）または式(19)と式(15)の差により得た損失分布を解析することで、断線の位置を特定することが可能である。
【００６５】
図４に、誘導ブリルアン散乱測定により８分岐光ファイバのうち、１本が測定できないような被測定光回路の構成例を示す。なお、#1の故障位置は2550mとした。また、誘導ブリルアン散乱による個別損失分布測定結果の和とレイリー散乱による損失の和の分布の測定結果の差分を図５に示す。図５のように、誘導ブリルアン散乱による個別損失分布測定により、１本の損失分布を取得できなければ、分岐光ファイバの差分として、測定できなかった１本の損失分布が残る。この差分によって得られた損失分布により、故障位置が2550m地点であると特定することができる。
【００６６】
[ケース３]  
誘導ブリルアン散乱測定により、断線した分岐光ファイバが２本以上測定できなかった場合は、式（17）または式(19)と式(15)の差は、  
【００６７】
【数２１】
2014159985.tif 000023
となり、測定できなかった複数本の分岐光ファイバの損失分布を得ることができる。
以上より、本実施形態では、レイリー後方散乱光強度または自然ブリルアン散乱光強度の和の分布から得られる損失分布１および誘導ブリルアン散乱光による分岐光ファイバの個別の損失分布２を取得し、個別の損失分布２の重ね合わせにより得られた損失分布３を演算により取得する。そして、損失分布１と損失分布３の差分を解析することにより、誘導ブリルアン散乱光による分岐光ファイバの個別損失分布が、分岐光ファイバ全ての損失分布を測定できているか（ケース１であるか否か）の判別と、１本のみ測定できなかった場合（ケース２）の測定できていない分岐光ファイバの損失分布を取得することが可能となる。
【００６８】
なお、ケース２とケース３とは、得られた波形の光スプリッタ２３１における段差の大きさによって判別が可能である。例えば、８分岐光スプリッタで１本のみが測定できていなかった場合（ケース２）には、差分の波形の光スプリッタ２３１における段差は、図５（ケース２）に示される通り、9〜10dBになる。これに対し、８分岐光スプリッタで２本が測定できなかった場合（ケース３）には、差分の波形の光スプリッタ２３１における段差は6〜7dBになる。これは、光スプリッタ２３１の先に２本ファイバが残っていた場合には、１本の時に比べて２倍（3dB）のレイリー散乱・自然ブリルアン散乱が戻ってくるためである。このように、差分波形の光スプリッタ２３１における段差の大きさを判別基準にすることで、ケース２とケース３とを区別することが可能になる。
【００６９】
本実施形態の測定手順は、以下のようになる。  
（１）第１及び第２試験光パルスを分岐光ファイバに入射し、誘導ブリルアン散乱測定により分岐光ファイバ個別の損失分布を取得する。  
（２）第１または第２試験光パルスを分岐光ファイバに入射し、全ての分岐光ファイバが重なった損失分布を取得する。  
（３）測定手順１で得た分岐光ファイバ個別の損失の重ね合わせの分布を取得する。
【００７０】
（４）測定手順２で得た全ての分岐光ファイバが重なった損失分布と測定手順３で得た分岐光ファイバ個別の損失分布の重ね合わせの差分を取得する。
上記の測定手順１〜５の処理は全てコンピュータで制御する。
このように、本実施形態によれば、ＰＯＮ型光分岐線路において、光スプリッタで分岐された各光分岐線路の特性を解析する場合に、基幹光線路側から、分岐光線路毎の個別の損失分布特性と、分岐光線路全ての損失分布特性の重ね合わせとを測定する。そして、測定された分岐光線路毎の個別の損失分布特性を用いて全ての損失分布特性の重ね合わせを算出する。次に、算出された全ての損失分布特性の重ね合わせと、測定された分岐光線路全ての損失分布測定の重ね合わせとの差分分布を算出し、算出された差分分布（またはその差分分布の反射点を除いた部分）が所定の閾値未満である場合に、分岐光線路の全てが正常であると判定する。また、算出された差分分布（またはその差分分布の反射点を除いた部分）が所定の閾値以上である場合に、分岐光線路のいずれかに故障が発生していると判定する。分岐光線路のいずれかに故障が発生していると判定された場合には、算出された差分分布に基づいて、１つの分岐光線路のみに故障が発生していると仮定した場合における当該分岐光線路の損失分布特性を算出する。
【００７１】
以上のことから、本発明によれば、被測定光線路の全ての分岐光ファイバが正常であるか否かを判定することができ、１つの分岐光ファイバのみに故障が発生している場合には、当該分岐光ファイバの故障位置を特定することができる。よって、ＰＯＮ型光分岐ファイバにおいて、所内既設設備の光デバイスや光線路構成を変更せず、所外既設設備を使用するのみで光線路特性を個別に測定することができ、これによって全分岐光ファイバの正常性を確認することができる。また、断線による故障が１本のみ発生した場合の断線位置を特定することもできる。
【００７２】
上記誘導ブリルアン散乱は、光媒質内の光減衰・温度・曲げなどによる歪みを測定することが可能であり、ここでの光線路特性とは距離に対する光減衰量、反射ピークの位置、曲げ障害の位置、曲げの程度、断線障害の位置、距離に対する温度変化量である。
【００７３】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【符号の説明】
【００７４】
１１…光源、１２…光分岐素子、１３…光周波数変更装置、１４…正弦波発生器、１５，１６…光パルス化装置、１７，１８…入射時間制御装置、１９，２０…光増幅器、２１…光合波素子、２３…被測定光回路、２３０…基幹光ファイバ、２３１…Ｎ分岐光スプリッタ、２３２１〜２３２Ｎ…分岐光ファイバ、２３３１〜２３３Ｎ…光反射フィルタ、２４…光フィルタ、２５…光受信器、２６…Ａ／Ｄ変換器、２７…演算処理装置。
【図１】
2014159985.tif 000024
【図２】
2014159985.tif 000025
【図３】
2014159985.tif 000026
【図４】
2014159985.tif 000027
【図５】
2014159985.tif 000028